(57)【要約】【課題】光記録媒体収容用ケースに脱着可能な筆記具を提供する。【解決手段】短冊状の筆記具本体５０１と、円盤形状の光記録媒体３０の中心孔３１と略同程度の挿通孔が空けられた挿通部５０２と、ペン部５０３とを有する筆記具５００であって、光記録媒体収容用ケース１００のホルダー１０中央部に立設する支持柱１２に挿通孔を挿通し、光記録媒体収容用ケース１００に脱着可能に装着される。【選択図】図１
2007118375.tif 000002
【特許請求の範囲】
【請求項１】
円盤形状の光記録媒体の中心孔に挿通可能な支持柱が立設された底部を有するホルダーと、上板及び前記上板の周囲に沿って前記上板から下方に延びて形成された外周壁を有するカバーと、を有する光記録媒体収容用ケースに用いる筆記具であって、
前記光記録媒体収容用ケースに脱着可能に形成されたことを特徴とする筆記具。
【請求項２】
短冊状の筆記具本体と、前記筆記具本体に形成され、前記支持柱が挿通可能な所定の形状を有する挿通部と、前記筆記具本体の少なくとも一端側に設けられたペン部と、を有することを特徴とする請求項１記載の筆記具。
【請求項３】
前記挿通部は、前記中心孔より大きな径を有する形状の挿通孔が形成されることを特徴とする請求項２記載の筆記具。
【請求項４】
前記挿通部は、当該挿通部の一部が欠けた切り欠きが形成されることを特徴とする請求項２記載の筆記具。
【請求項５】
筆記具本体と、前記筆記具本体の少なくとも一端側に設けられたペン部と、前記筆記具本体に取り付けられた吸盤部と、を有することを特徴とする請求項１記載の筆記具。
【請求項６】
前記上板の上面に突起部が形成されており、前記突起部に嵌合可能に形成することを特徴とする請求項１記載の筆記具。
【請求項７】
前記外周壁が前記上板の上面よりも上方に張り出して形成されると共に、前記上板の上面に突起部が形成されており、上方に張り出して形成された前記外周壁の内面と前記突起部の外周面との間に挿嵌することを特徴とする請求項１記載の筆記具。
【請求項８】
前記筆記具が、油性ペンまたは水性ペンであることを特徴とする請求項１乃至７のいずれか１項に記載の筆記具。
【請求項９】
請求項１乃至８のいずれか１項に記載の筆記具と、
円盤形状の光記録媒体の中心孔に挿通可能な支持柱が立設された底部を有するホルダーと、
上板及び前記上板の周囲に沿って前記上板から下方に延びて形成された外周壁を有するカバーと、
を有する光記録媒体収容用ケース。
【請求項１０】
前記上板と前記外周壁とが形成する空間内に前記支持柱を収容するように前記カバーを前記ホルダーに被せた場合に、前記外周壁の下端部が前記底部に嵌合するように形成されることを特徴とする請求項９記載の光記録媒体収容用ケース。
【請求項１１】
前記筆記具を脱着可能とする取り付け具が前記カバーに設けられていることを特徴とする請求項９又は１０に記載の光記録媒体収容用ケース。
【発明の詳細な説明】
【技術分野】
【０００１】
本発明は、光記録媒体収容用ケースに脱着可能な筆記具に関し、より詳しくは、複数の光記録媒体を積み重ねて収納する光記録媒体収容用ケースに脱着可能な筆記具に関する。
【背景技術】
【０００２】
従来、ＣＤ−Ｒ、ＤＶＤ−Ｒ等の光記録媒体を複数枚積み重ねて収納、運搬するためのディスク収納ケースが知られている（特許文献１参照）。このようなディスク収納ケースは、例えば、図９に示すような構造を有している。即ち、図９に示すように、ディスク収納ケース（本発明においては、光記録媒体収容用ケースという場合がある。）１００は、ホルダー１０とカバー２０とから構成される。ホルダー１０は、円盤状の底部１１と、その底部１１の上面中央から上方に立設する断面円形の支持柱１２とを有する。支持柱１２の外径は、底部１１上に積み重ねた複数の光記録媒体３０の各中心孔３１に挿通できる太さにする。支持柱１２の長さは、保管する光記録媒体３０の枚数に合せた長さにする。
カバー２０は、中央部に突起部２３を設けた円形の上板２１と、その周囲からほぼ垂直に下方に延びる外周壁２２とから構成され、その内部に、底部１１上に積み重ねた複数の光記録媒体３０を収納する収納空間を形成している。
【０００３】
ディスク収納ケース１００に複数の光記録媒体３０を収納する場合、各光記録媒体３０の中心孔３１に支持柱１２をそれぞれ挿通し、底部１１上に光記録媒体３０を積み重ねる。尚、各光記録媒体３０は、中央部に円形のクランピングエリア３２を有し、クランピングエリア３２の中心に中心孔３１が形成されている。
光記録媒体３０を所定数積み重ねた後、ホルダー１０にカバー２０を被せ、カバー２０の外周壁２２の下端部を、底部１１の上部外周部を囲み、かつ底部１１の上側に張り出した外周縁部１１’の内側に嵌めながら、カバー２０の内部空間内に底部１１上に積み重ねた光記録媒体３０を収納する。
【０００４】
【特許文献１】特開２００１−３１５８８２号公報
【発明の開示】
【発明が解決しようとする課題】
【０００５】
ところで、光記録媒体のレーベル面に、その光記録媒体に記録された情報等の内容を表示するのが一般的である。この内容の表示は、通常、ユーザーが油性ペン等の筆記具を使って直接レーベル面に書き込むことによって行われる。
しかしながら、レーベル面への書き込みを行うための筆記具がユーザーの手元に無い場合には、記録した情報の内容をすぐに書き込むことができない。この場合、ユーザーは所定の筆記具（例えば油性ペン）を準備する必要があるが、筆記具の準備をしている間に記録した情報の内容を忘れてしまう等、ユーザーにとって使い勝手が不十分な状況が発生する。
【０００６】
本発明は、このような問題を解決するためになされたものである。
即ち、本発明の目的は、光記録媒体収容用ケースに脱着可能な筆記具を提供することにある。
【課題を解決するための手段】
【０００７】
上記の課題を解決するために、本発明によれば、下記（１）〜（１１）が提供される。
（１）  円盤形状の光記録媒体の中心孔に挿通可能な支持柱が立設された底部を有するホルダーと、上板及び上板の周囲に沿って上板から下方に延びて形成された外周壁を有するカバーと、を有する光記録媒体収容用ケースに用いる筆記具であって、光記録媒体収容用ケースに脱着可能に形成されたことを特徴とする筆記具。
（２）  短冊状の筆記具本体と、筆記具本体に形成され、支持柱が挿通可能な所定の形状を有する挿通部と、筆記具本体の少なくとも一端側に設けられたペン部と、を有することを特徴とする前記（１）記載の筆記具。
（３）  挿通部は、中心孔より大きな径を有する形状の挿通孔が形成されることを特徴とする前記（２）記載の筆記具。
（４）  挿通部は、挿通部の一部が欠けた切り欠きが形成されることを特徴とする前記（２）記載の筆記具。
（５）  筆記具本体と、筆記具本体の少なくとも一端側に設けられたペン部と、筆記具本体に取り付けられた吸盤部と、を有することを特徴とする前記（１）記載の筆記具。
（６）  上板の上面に突起部が形成されており、突起部に嵌合可能に形成することを特徴とする前記（１）記載の筆記具。
（７）  外周壁が上板の上面よりも上方に張り出して形成されると共に、上板の上面に突起部が形成されており、上方に張り出して形成された外周壁の内面と突起部の外周面との間に挿嵌することを特徴とする前記（１）記載の筆記具。
（８）  筆記具が、油性ペンまたは水性ペンであることを特徴とする前記（１）乃至（７）のいずれかに記載の筆記具。
【０００８】
（９）  前記（１）乃至（８）のいずれかに記載の筆記具と、円盤形状の光記録媒体の中心孔に挿通可能な支持柱が立設された底部を有するホルダーと、上板及び上板の周囲に沿って上板から下方に延びて形成された外周壁を有するカバーと、を有する光記録媒体収容用ケース。
（１０）  上板と外周壁とが形成する空間内に支持柱を収容するようにカバーをホルダーに被せた場合に、外周壁の下端部が底部に嵌合するように形成されたことを特徴とする前記（９）記載の光記録媒体収容用ケース。
（１１）  筆記具を脱着可能とする取り付け具がカバーに設けられていることを特徴とする前記（９）又は（１０）に記載の光記録媒体収容用ケース。
【発明の効果】
【０００９】
本発明によれば、光記録媒体のレーベル面に記録した情報を、記録後時間をおかずに書き込むことができる、使い勝手のよい筆記具が提供される。
【発明を実施するための最良の形態】
【００１０】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
本発明に用いる筆記具は、光記録媒体収容用ケースに脱着可能に形成される。このような筆記具としては、筆記具自体の形状を工夫して光記録媒体収容用ケースに脱着可能とする場合と、光記録媒体収容用ケースの形状を工夫して筆記具を脱着可能とする場合との２通りがある。以下、それぞれの場合における実施形態について説明する。
【００１１】
（第１の実施形態）
図１は、筆記具の第１の実施形態を説明するための図である。具体的には、図１は、ホルダー１０に装着する筆記具５００を説明するための図である。図１（ａ）は、筆記具５００の平面図であり、図１（ｂ）は、筆記具５００をホルダー１０（光記録媒体収容用ケース１００）に装着する様子を示している。なお、図１（ｂ）においては、説明の便宜から、光記録媒体収容用ケース１００のうちカバー２０の図示を省略している。また、図１（ｃ）は、キャップ部５０５を備えた筆記具５００の平面図である。
【００１２】
図１（ａ）に示すように、筆記具５００は、短冊状の筆記具本体５０１と、筆記具本体５０１に形成され、支持柱が挿通可能な円形の挿通孔を有する挿通部５０２と、筆記具本体５０１の少なくとも一端側に設けられたペン部５０３と、を有している。つまり、筆記具本体５０１は、一端側に挿通部５０２が設けられ、他端側にペン部５０３が設けられて、筆記具５００を形成している。ここで、筆記具本体５０１を構成する材料は、特に限定されないが、例えば、ゴム材料、プラスチック材料等が挙げられる。
【００１３】
図１（ｂ）に示すように、筆記具５００は、ホルダー１０（光記録媒体収容用ケース１００）に以下のようにして装着される。つまり、円盤形状の光記録媒体３０の中心孔３１に挿通可能な支持柱１２が立設された底部１１を有するホルダー１０に、中心孔３１を支持柱１２に挿通することにより、ホルダー１０の底部１１上に複数の光記録媒体３０を積み重ねて担持する。そして、その後に、挿通部５０２の挿通孔を支持柱１２に挿通することによって、筆記具５００をホルダー１０（光記録媒体収容用ケース１００）に装着する。当然ながら、筆記具５００は、上方に引き上げることにより、ホルダー１０（光記録媒体収容用ケース１００）から取り外すことができる。
【００１４】
挿通部５０２に設けられる円形の挿通孔の径は、ホルダー１０の中央部に立設した支持柱１２が挿通可能であれば特に限定されず、通常、１５ｍｍ〜３０ｍｍである。また、筆記具５００の長さは、通常、光記録媒体３０の半径よりも小さくする。これにより、筆記具５００が、光記録媒体３０の外径から外にはみ出すことが無くなる。この結果、筆記具５００が、光記録媒体収容用ケース１００内に確実に収納されるようになる。このため、筆記具５００の長さＬは、通常、１５ｍｍ〜６５ｍｍとする。一方、筆記具５００の幅Ｄは、通常、１５ｍｍ〜３０ｍｍである。また、挿通部５０２の長さＳは、通常、１５ｍｍ〜３０ｍｍである。さらに、筆記具５００の厚みは、通常１ｍｍ〜１０ｍｍとする。
【００１５】
また、ペン部５０３は、光記録媒体３０のレーベル面に所定の情報等を書き込めるものであれば特に限定されないが、例えば、水性ペン、油性ペン等が挙げられる。これらのうち、レーベル面の記載がかすれたり消えたりしないようにするために、油性ペンを用いることが好ましい。ペン先は光記録媒体３０の表面（レーベル面）を傷つける恐れが少ない柔らかいもの（例えば、フェルト状のもの等）が好ましい。なお、このペンの種類に関しては後述の実施形態においても同様とすればよい。
【００１６】
ペン部５０３の種類によって、インクが乾いて筆記が困難となるおそれがある場合には、図１（ｃ）に示すように、ペン部５０３にキャップ部５０５を設けることが好ましい。つまり、キャップ部５０５を筆記具本体５０１の一部を構成するように設けて、筆記具５００を形成することが好ましい。キャップ部５０５には、ペン部５０３に対応してペン受け部５０４が形成されており、筆記具５００の使用に際して、キャップ部５０５を取り外せるようになっている（Ｃ１→Ｃ２）。なお、このようなキャップ部５０５は、後述の実施態様（図２、図３）においても適宜用いることができることはいうまでもない。
【００１７】
筆記具５００を用いることにより、光記録媒体３０に記録した情報を、記録から時間をおくことなく、当該光記録媒体３０のレーベル面に書き込むことが可能となる。ここで、所定の情報の内容としては、例えば、光記録媒体３０が映画を録画したＤＶＤ−Ｒである場合は、映画のタイトル、録画時間、録画日等を挙げることができる。また、上記所定の情報の内容としては、例えば、光記録媒体３０が音楽を録音したＣＤ−Ｒである場合は、音楽のジャンル、楽曲のタイトル、演奏者等を挙げることができる。
また、光記録媒体３０は円盤形状を有している。光記録媒体３０としては、具体的には、ＣＤ−Ｒ、ＣＤ−ＲＷ、ＤＶＤ−Ｒ、書き換え型ＤＶＤ、青色レーザ対応の光記録媒体を挙げることができる。
【００１８】
図２は、第１の実施形態の他の形態を説明するための図である。図２（ａ）〜図２（ｃ）は、それぞれ筆記具５１０，筆記具５２０，筆記具５３０の平面図である。
図２（ａ）に示す筆記具５１０は、短冊状の筆記具本体５１１と、筆記具本体５１１の一端に挿通孔が空けられている挿通部５１２と、挿通部５１２とは反対側の他端に設けたペン部５１３とを有している。つまり、筆記具本体５１１は、一端側に挿通部５１２が設けられ、他端側にペン部５１３が設けられて、筆記具５１０を形成している。
【００１９】
図２（ａ）に示すように、挿通部５１２には、光記録媒体３０の中心孔３１（図１（ｂ）参照）より大きな径を有する四辺形の挿通孔が空けられている。挿通部５１２に空けられた挿通孔の径が光記録媒体３０の中心孔３１（図１（ｂ）参照）より大きいと、ホルダー１０の中央に立設した支持柱１２（図１（ｂ）参照）を挿通部５１２に容易に挿通することができる。尚、挿通部５１２に空けられる挿通孔の形状は四辺形に限定されず必要に応じて種々変更することができる。挿通孔の形状としては、例えば、円形（中心孔３１（図１（ｂ）参照）よりも大きな直径を有する円形）、正三角形、正五角形、六角形、八角形、星形を挙げることができる。
【００２０】
図２（ｂ）に示す筆記具５２０は、短冊状の筆記具本体５２１と、ホルダー１０の中央に立設した支持柱１２（図１（ｂ）参照）が挿通するように形成された挿通部５２２と、挿通部５２２とは反対側の他端に設けたペン部５２３とを有している。つまり、筆記具本体５２１は、一端側に挿通部５２２が設けられ、他端側にペン部５２３が設けられて、筆記具５２０を形成している。
【００２１】
図２（ｂ）に示すように、挿通部５２２には、筆記具本体５２１の片側の一部が欠けて自由端５２２ｆになるように切り欠きが形成されている。挿通部５２２が切り欠き形状であることにより、筆記具５２０をホルダー１０の中央に立設した支持柱１２（図１（ｂ）参照）に取り付ける際に、切り欠き部分が支持柱１２の導入口となり、容易に切り欠き部から支持柱１２にはめ込むことができる。同様に、筆記具５２０をホルダー１０から容易に取り外しをすることもできる。
【００２２】
同様に、図２（ｃ）に示す筆記具５３０は、短冊状の筆記具本体５３１と、切り欠きが形成された挿通部５３２と、挿通部５３２とは反対側の他端に設けたペン部５３３とを有している。つまり、筆記具本体５３１は、一端側に挿通部５３２が設けられ、他端側にペン部５３３が設けられて、筆記具５３０を形成している。
【００２３】
図２（ｃ）に示すように、挿通部５３２に形成された切り欠きは、図２（ｂ）に示した筆記具５２０と比較して、円弧状に切り取られた自由端５３２ｆの先端が細くなるように形成されているので、ホルダー１０の中央に立設した支持柱１２（図１参照）に装着した筆記具５３０がはずれにくくなる。また、自由端５３２ｆに対向する部分５３１ｅが曲線状に丸められているため、ホルダー１０の中央に立設した支持柱１２（図１参照）を、さらに容易に挿通部５３２に導入することができる。
【００２４】
図３は、筆記具の第１の実施形態のさらに他の形態を説明するための図である。図３（ａ）、図３（ｂ）は、それぞれ筆記具５４０，筆記具５５０の平面図である。
図３（ａ）に示す筆記具５４０は、短冊状の筆記具本体５４１と、筆記具本体５４１の略中央部に挿通孔が空けられている挿通部５４２と、筆記具本体５４１の両端にそれぞれ設けたペン部５４３ａ，５４３ｂとを有している。つまり、筆記具本体５４１は、略中央部に挿通部５４２を設け、両端にペン部５４３ａ，５４３ｂを設けることにより、筆記具５４０を形成している。筆記具５４０は、筆記具本体５４１の両端にそれぞれペン部５４３ａ，５４３ｂを有する。このため、例えば、色の異なる２色ペンの筆記具５４０とすることができる、又は、油性ペンと水性ペンというように種類の異なる２種類のペンを有する筆記具５４０とすることができる。インクの乾きを抑制するために、ペン部５４３ａ，５４３ｂに対応してキャップ部をそれぞれ設けてもよいことはいうまでもない。
【００２５】
図３（ｂ）に示す筆記具５５０は、短冊状の筆記具本体５５１と、筆記具本体５５１の略中央部に挿通孔が空けられている挿通部５５２と、筆記具本体５５１の両端にそれぞれ設けたペン部５５３ａ，５５３ｂとを有している。図３（ｂ）に示すように、筆記具５５０は、中央部分の幅が両端部分の幅より大きく、全体として楕円形状を有している。
【００２６】
（第２の実施形態）
図４は、筆記具の第２の実施形態を説明するための図である。具体的には、図４は、カバー２０に装着する筆記具５６０を説明するための図である。図４（ａ）は、筆記具５６０を装着したカバー２０の平面図であり、図４（ｂ）は、筆記具５６０をカバー２０に装着する様子を示している。
図４（ａ）に示すように、筆記具５６０は、縦長の筆記具本体５６１と、筆記具本体５６１の一端側に設けられたペン部（不図示）に被せて使用するキャップ部５６５と、筆記具本体５６１に取り付けられた吸盤部２４とを有している。一方、図４（ｂ）に示すように、カバー２０は、上板２１及び上板２１の周囲に沿ってかつ上板２１の下方に延びて形成された外周壁２２を有する。また、上板２１の中央には突起部２３が設けられている。そして、筆記具５６０は、吸盤部２４により、突起部２３の横脇の上板２１上に吸着されている。この結果、筆記具５６０は、カバー２０に着脱可能に装着されていることとなる。
【００２７】
より具体的には、図４（ｂ）に示すように、筆記具５６０は、筆記具本体５６１に取り付けられた吸盤部２４により、カバー２０の上板２１上に水平に装着される。尚、カバー２０は、上板２１と外周壁２２とにより、積み重ねた複数の光記録媒体３０を収容する収容空間を形成する。そして、上板２１と外周壁２２とが形成する空間内に、ホルダー１０の支持柱１２（図４（ｂ）では、支持柱１２の代わりに、支持柱１２に挿通して積み重ねられた、複数の光記録媒体３０が図示されている。）を収容するようにカバー２０をホルダー１０に被せた場合に、外周壁２２の下端部２２ｂが、ホルダー１０の底部１１に嵌合するようになっている。
尚、本実施形態においては、筆記具５６０として一般的に用いられる円筒形状の筆記具（ペン）を用いているが、筆記具５６０の形状はこれに限られないことはいうまでもない。
【００２８】
（第３の実施形態）
図５は、筆記具の第３の実施形態を説明するための図である。具体的には、図５は、カバー２０に装着する筆記具の他の実施形態（筆記具５７０）を説明するための図である。図５（ａ）は、筆記具５７０の平面図であり、図５（ｂ）は、筆記具５７０をカバー２０に装着する様子を示している。
図５（ａ）に示すように、筆記具５７０は、中央部に所定の径（φ）を有する中心孔が空いたドーナツ形状を有している。筆記具５７０は、円弧状に形成された一端にペン部５７３ａ，５７３ｂをそれぞれ備える円弧状に形成された２個の筆記具本体５７１，５７２を有し、ペン部５７３ａ，５７３ｂとペン受け部５７４ａ，５７４ｂとを嵌合して、一体化している。カバー２０の上板２１に設けられた円形の突起部２３に嵌合可能とするために、中心孔の径（φ）は、突起部２３の径と略同一とされている。筆記具５７０は、使用に際して、２個の筆記具本体５７１，５７２にそれぞれ分解して使用する（ａ１→ａ２）。
筆記具本体５７１，５７２を構成する材料は、特に限定されないが、例えば、ゴム材料、プラスチック材料等が挙げられる。
【００２９】
図５（ｂ）に示すように、所定の厚さを有するドーナツ形状の筆記具５７０は、カバー２０の上板２１の中央部に設けた円形の突起部２３と筆記具５７０の内側の曲面とを嵌合することにより、カバー２０に着脱自在に装着する（ｂ１→ｂ２）。このとき、筆記具５７０の内側の曲面に突起部２３の側面が当接し、突起部２３の側面が筆記具５７０に覆われる。
尚、筆記具５７０の厚さは、特に限定されないが、通常、１ｍｍ〜１０ｍｍである。
【００３０】
図６は、筆記具の第３の実施形態の他の形態を説明するための図である。具体的には、図６は、筆記具５８０をカバー２０に装着する様子を示している。
図６に示すように、筆記具５８０は、縦長の筆記具本体５８１と、筆記具本体５８１の一端側に設けられたペン部（不図示）に被せて使用するキャップ部５８５と、筆記具本体５８１に取り付けられたリング部２５とを有している。カバー２０の上板２１に設けられた円形の突起部２３に嵌合可能とするために、リング部２５の内径は、突起部２３の径と略同一とされている。
【００３１】
そして所定の厚さを有するリング部２５が筆記具本体５８１に取り付けられた筆記具５８０は、カバー２０の上板２１の中央部に設けた円形の突起部２３とリング部２５の内側の曲面とを嵌合することにより、カバー２０に着脱自在に装着する（ｄ１→ｄ２）。このとき、リング部２５内側の曲面に突起部２３の側面が当接し、リング部２５を介して、筆記具５８０がカバー２０に装着される。
尚、リング部２５の厚さは、特に限定されないが、通常、１ｍｍ〜１０ｍｍである。
【００３２】
（第４の実施形態）
図７は、筆記具の第４の実施形態を説明するための図である。具体的には、図７は、カバー２０に装着する筆記具の他の実施形態（筆記具５９０）を説明するための図である。図７（ａ）は、筆記具５９０を装着したカバー２０の平面図であり、図７（ｂ）は、筆記具５９０をカバー２０に装着する様子を示している。
【００３３】
図７（ａ）に示すように、筆記具５９０は、縦長の筆記具本体５９１と、筆記具本体５９１の一端側に設けられたペン部（不図示）に被せて使用するキャップ部５９５と、筆記具本体５９１の他端側に設けられた内周挿嵌部２７と、キャップ部５９５の先端に設けられた外周挿嵌部２６とを有している。一方、図７（ｂ）に示すように、カバー２０は、上板２１及び上板２１の周囲に沿って上板２１から下方に延びて形成された外周壁２２を有する。さらに、外周壁２２が上板２１の上面よりも上方に張り出して外周上壁部２２ｔが形成されると共に、上板２１の上面中央には円形の突起部２３が形成されている。そして、外周挿嵌部２６が外周上壁部２２ｔの内面に当接すると共に、内周挿嵌部２７が突起部２３の外周面に当接することにより、筆記具５９０がカバー２０（ひいては、光記録媒体収容用ケース）に装着されている。
【００３４】
より具体的には、図７（ｂ）に示すように、筆記具５９０は、外周上壁部２２ｔの内面と突起部２３の外周面との間に挿嵌される。この際、外周挿嵌部２６が外周上壁部２２ｔの内面に当接すると共に、内周挿嵌部２７が突起部２３の外周面に当接する。この結果、筆記具５９０は、カバー２０（光記録媒体収容用ケース）に脱着が可能となる。
なお、本実施形態においては、筆記具５９０として、円筒形状の筆記具５９０を用いたが、筆記具５９０の形状はこれに限られないことはいうまでもない。例えば、筆記具本体の形状を扁平な直方体としてもよい。また、外周挿嵌部２６、内周挿嵌部２７の形状も種々変形できることはいうまでもない。さらに、キャップ部５９５と外周挿嵌部２６とを一体的に形成してもよいし、筆記具本体５９１と内周挿嵌部２７とを一体的に形成してもよい。
【００３５】
（第５の実施形態）
図８は、筆記具の第５の実施形態を説明するための図である。具体的には、図８は、カバー２０に装着する筆記具６００を説明するための図である。図８（ａ）は、筆記具６００を装着したカバー２０の平面図であり、図８（ｂ）は、筆記具６００をカバー２０に装着する様子を示している。
尚、上記実施形態は、筆記具の形状を工夫することにより、筆記具を光記録媒体収容用ケースに脱着可能とする例であった。これに対し、本実施形態は、光記録媒体収容用ケースの形状を工夫して筆記具を脱着可能とする場合の一例である。
【００３６】
図８（ａ）に示すように、筆記具６００は、縦長の筆記具本体６０１と、筆記具本体６０１の一端側に設けられたペン部（不図示）に被せて使用するキャップ部６０５とを有している。筆記具６００は、ホルダー１０（図８（ｂ））に被せて光記録媒体３０を収納するカバー２０に、上板２１中央の突起部２３の横脇に設けた取り付け具２８により、着脱可能に装着されている。尚、カバー２０は、上板２１と外周壁２２とにより、積み重ねた複数の光記録媒体３０を収容する収容空間を形成する。
図８（ｂ）に示すように、筆記具６００は、筆記具本体６０１の湾曲した形状に応じた所定の曲面を有するように形成された取り付け具２８により、カバー２０の上板２１上に水平に装着される。
【図面の簡単な説明】
【００３７】
【図１】筆記具の第１の実施形態を説明するための図である。
【図２】筆記具の第１の実施形態の他の形態を説明するための図である。
【図３】筆記具の第１の実施形態のさらに他の形態を説明するための図である。
【図４】筆記具の第２の実施形態を説明するための図である。
【図５】筆記具の第３の実施形態を説明するための図である。
【図６】筆記具の第３の実施形態の他の形態を説明するための図である。
【図７】筆記具の第４の実施形態を説明するための図である。
【図８】筆記具の第５の実施形態を説明するための図である。
【図９】ディスク収容ケース（光記録媒体収容用ケース）を説明するための図である。
【符号の説明】
【００３８】
１０…ホルダー、１１…底部、１１’…外周縁部、１２…支持柱、２０…カバー、２１…上板、２２…外周壁、２２ｂ…下端部、２２ｔ…外周上壁部、２３…突起部、２４…吸盤部、２５…リング部、２６…外周挿嵌部、２７…内周挿嵌部、２８…取り付け具、３０…光記録媒体、３１…中心孔、３２…クランピングエリア、１００…ディスク収納ケース（光記録媒体収容用ケース）、５００，５１０，５２０，５３０，５４０，５５０，５６０，５７０，５８０，５９０，６００…筆記具、５０１，５１１，５２１，５３１，５４１，５５１，５６１，５７１，５７２，５８１，５９１，６０１…筆記具本体、５０２，５１２，５２２，５３２，５４２，５５２…挿通部、５０３，５１３，５２３，５３３，５４３ａ，５４３ｂ，５５３ａ，５５３ｂ，５７３ａ，５７３ｂ…ペン部、５０４，５７４ａ，５７４ｂ…ペン受け部、５０５，５６５，５８５，５９５，６０５…キャップ部
【図１】
2007118375.tif 000003
【図２】
2007118375.tif 000004
【図３】
2007118375.tif 000005
【図４】
2007118375.tif 000006
【図５】
2007118375.tif 000007
【図６】
2007118375.tif 000008
【図７】
2007118375.tif 000009
【図８】
2007118375.tif 000010
【図９】
2007118375.tif 000011